(57)【要約】【課題】  困難な工程の樹脂材料注入方式、複雑な手間をかかるインナーブーツの紐の編上げ装着方式、密着位置不安定なパッド貼り付け方式等における問題点のない、これらの方式によらない、市中品スキー靴に後からでも付加使用可能な足とインナーブーツを密着させる簡単な締め具の提供目的とする。【解決手段】  スキー靴内のインナーブーツの外側から、くるぶし、踵付近を締め込み、足とインナーブーツの密着性を増し、角カンを通過した掴み端８を引くだけで角カンが張力を保ったまま自動的に施錠し、バックルを締めることで角カンの施錠を確実にし、前方側足首付近の開口部を開くことによって露呈した角カンが離れ解除する簡単な締め具の提供。【選択図】図１
2014108339.tif 000002
【特許請求の範囲】
【請求項１】
部材壱の一方の端にカン甲を有し、該部材壱の他方の端にカン乙と掴み端部を有し、カン甲とカン乙の所在する間に部材弐の両端が部材壱に結合した構成のスキー靴のインナーブーツの閉め具。
【請求項２】
請求項１記載の閉め具における部材壱、部材弐をインナーブーツ形成生地にて代替構成した締め具を備えたイナーブーツを有するスキー靴。
【発明の詳細な説明】
【技術分野】
【０００１】  本発明はスキー靴のインナーブーツに装着する締め具に関するものである。
【背景技術】
【０００２】  足に対してスキー靴の適合性はスキー操作を行う上で重要である。スキー靴の呼称サイズが等しくても、足の幅や甲の高さや形など千差万別である。その為、足に合うスキー靴を選択しても、少なからず更なる適合への欲求が残る。例えば窮屈な場合は対処し易いが、微妙に緩慢な場合や部分的に隙間がある場合は後になってから不具合を感じる。この不具合を対策するため、様々な改善や工夫がなされている。【０００３】  例えば１つ目の方法は、足とインナーブーツの空隙のある部位に樹脂を注入する。しかし、重量増加の弊害や成型工程の困難さや型採りの為使用者を拘束するなど問題がある。
２つ目の例はインナーブーツの密着性を図るため、インナーブーツを足に靴下のように履いて紐で編み上げ締め、シェルに挿入し、バックル金具を締める。しかしスキー靴の装着作業に大いに手間取り、必ずしもインナーブーツと密着が得られる訳でもなく不十分さがある。
３つ目の例はシェルの内側とインナーブーツの外側の間にパッド等を入れる。しかしパッド自身が足の入っているインナーブーツ全体を押しつけるため、当たりで痛みを生ずる。
４つ目の例は最近ついにスキー靴を使用者の足につけた後加熱し、隙間を無くすなど、足を製造上の型のように扱われる場合も見られる。多くの労力や人間自身がいわば工具となるほど犠牲になり、価格も高騰している。何れの改善も使用者には負担が多く、対策が必要とされている。【０００４】  スキー靴の適合性とは足を如何に有効的に密着するかである。本発明の締め具では主として踵やくるぶしまわりの密着させることを重要と着眼した。併せてフックのような爪形状ではなく丸い外周面のカンの機構によって、使いやすい安全な施錠、解錠を簡単に扱えるようにした。
【先行技術文献】
【特許文献】
【０００５】
【特許文献１】特開２００３−２８９９０１
【特許文献２】特開２００４−２３６９７１
【特許文献３】特開２０１０−５１６３１０
【特許文献４】実開平０５−００９３０２
【発明の概要】
【発明が解決しようとする課題】
【０００６】従来のスキー靴の問題点は足への適合であったが、背景技術に述べたように不十分であった。本発明で解決すべき問題点は、第１に樹脂材料注入における困難な工程、高価格、重量増、使用者への負荷等を低減することであり、第２にインナーブーツ上に紐で編み上げて密着させる方式における紐の編み上げ装着するような手間を減少させることであり、第３にパッド等入れる方式等のような密着位置が移動するような不安定さをなくすことであり、第４に使用者が製造上の工程に組み込まれるような非合理性を必要としないことである。更には市中に出回っているスキー靴のインナーブーツに後から付加使用できない等の問題がある。これら不具合のない手段による密着適合を得る締め具の提供が目的である。
【課題を解決するための手段】
【０００７】  本発明は上記目的を達成するため、スキー操作を有効的にするにはまず第１に踵部を抑える必要がある。その為、一連の帯状部材の一端に角カン甲を取り付け足首前側から踵上のアキレス腱の凹み部を回して再び足首前側に戻し、この位置でもうひとつの角カン乙を該一連の帯状部材に取り付け、更に該一連の帯状部材のもう一方の他端を先の角カン甲を通し、戻って角カン乙を通り、瞬間的に引くだけで該一連の帯状部材は張力を発生させる。更に、該一連の帯状部材の両端の角カンの間には、土踏まず部分にも張力を与える為と上記一連の帯状部材の装着が安定をする為の部材を該一連の帯状部材に有した締め具にて足を密着させる。
【発明の効果】
【０００８】  第１の効果は締め具の掴み端部８を引くだけで、インナーブーツのくるぶし周りと踵上部に張力を付与し、足との密着性を向上した。第２の効果は本発明の最大の特徴である掴み端部８を引いた後、手を離しても張力を保ったまま角カンが施錠する。第３の効果は角カンの組み合わせによって滑動、係止、開放に新たな使い方を得たことである。第４の効果はシェルのバックルを締めることにより、締め具は更に強固な施錠とする。第５の効果はシェルのバックルと足入れ口部２３を緩め、スキー靴を脱ぐ為の足の甲の力で解錠し簡単に開放できる。第５の効果は踵の浮きが少なくなり、スキー操作を有利に行える。第７の効果は俊速、簡単に操作できる廉価な締め具を提供する。
【図面の簡単な説明】
【０００９】
【図１】はインナーブーツに締め具を装着した左足のスキー靴の斜視図（実施例１）。
【図２】は図１から特筆した締め具のみの斜視図（実施例１）
【図３】は図２の本発明品を展開した斜視図（実施例１）
【図４】は図２の矢印Ｅ，Ｆ方向における角カン６，７近傍の断面図（実施例１）
【図５】は図１の矢印Ｃ，Ｄ方向の断面図、緩めた動作時（実施例１）
【図６】は図１の矢印Ｃ，Ｄ方向の断面図、締めた動作時（実施例１）
【図７】は実施例１の構成要素角カン単体の斜視図（実施例１）
【図８】は本発明の実施例２の斜視図（実施例２）
【図９】は図８の矢印Ｋ，Ｌ方向における断面図（実施例２）
【発明を実施するための形態】
【００１０】  締め具の張力の発生と保持と施錠を平らな帯と厚みの少ない単純な形状の角カンで構成し、スキー靴の外観に大きな変化を感じない容積で構成し、簡単に操作できる形態とした。
【実施例１】
【００１１】  以下の説明は片足にて説明するが両足適用とする。図１のようにスキー靴１は太い２点鎖線で表した外側のシェル２と、その中に細い２点鎖線で表したインナーブーツ３と、その外側に配置し実線で示す本発明の締め具４にて構成している。【００１２】  締め具４は図３のように帯状の部材壱５の一方の端に角カン甲６の一辺を固定し、部材壱５のもう一方の端側に角カン乙７の１辺を固定し、部材壱５の角カン甲６と角カン乙７の間には部材弐９の両端を固定している。図４は図２の矢印Ｅ、Ｆ方向における断面図であるが、締め具４の締めた状態、即ち施錠の状態を図示している。部材壱５が角カン乙７の固定位置を過ぎ、さらに角カン甲６及び角カン乙７の対辺部１０及び１１を通り、その端を掴み端部８として構成している。【００１３】  締め具４を構成する部品の仕様を説明する。部材壱５は柔軟性、耐久性のある材質で平坦な矩形断面形状で１５ミリ幅、１．５ミリ厚、長さ５００ミリである。部材弐９は部材壱５と類似の材質で長さ１７０ｍｍである。図７のような角カン甲６は金属等の剛性のある材質で２ｍｍφの線材を矩形に折り曲げ短辺内幅８ｍｍ、長辺内幅１５ｍｍである。角カン乙７も同様とする。【００１４】  本発明構成の中で特徴とするのは図７のような単純形状のカンを使用して施錠、解錠している点である。通常、従来は爪フックのような形状の部品で施錠、解錠等の動作機能を得ているがカンを施錠に使うのが他にはない本発明の特徴である。従来の爪フックは形状的に危険そうで、位置あわせを要し、意識的な二次元動作を与える面倒さがあるのに対して、本発明では鋭利な角のない安全そうな形状で特別な位置あわせが不要で爪もないスムーズな施錠を想起している。【００１５】  締め具４の動作を図５、図６を用いて説明する。図５はまだ締め具４を締めていない状態で、角カン甲６や角カン乙７はインナーブーツ３の甲部１２上にあり、スキー靴１のシェル２の図１にも図示した開口部内１３と開口部外１４も開いている。角カン甲６の対辺部１０と角カン乙７の対辺部１１とは距離Ｇを有して離れている。【００１６】  上記状態で装着のために足を入れた後、掴み端８を手で掴み引っ張ると、締め具４の角カン甲６、角カン乙７は矢印Ｈ方向に張力をもちながら移動する。連動して角カン甲６の対辺部１０、角カン乙７の対辺部１１は矢印Ｑ，Ｒ方向に相互に近づき、図６のように角カン乙７の対辺部１１は角カン甲６の対辺部１０の上に締め具４の帯部１５を介し、帯部１５は挟み込まれながら張力をもち、当接し乗りあがる。【００１７】  当接後掴み端８から手を離すと角カン乙７の対辺部１１は角カン甲６の対辺部１０の上に締め具４の帯部１５を介し、乗りあがったままの状態で力のバランスが図られ、ロックされ相互位置関係は変わらずとどまる。即ち締め具４全体に張力を保持したまま、施錠状態を得ることができるので張力は緩むことはない。即ちインナーブーツ３を足に密着する。【００１８】  締め具４の張力は部材壱５によって図１に示されたインナーブーツ３の踵上部１６にも作用し、中にある足の踵とアキレス腱近傍、更に部材弐９によって土踏まず近傍等においてインナーブーツ３との密着が得られる。【００１９】  締め具４の施錠���態を得た後、図１に示されたシェル２のバックル１７を締めることによって図６のようにシェル２の開口部内１３と開口部外１４は近づき重なり、シェル２自身も締まり、同時に図６のように開口部１３が施錠している締め具４を上から押さえ込み施錠の力が更に強固になる。【００２０】  締め具４の施錠状態を解く解錠動作は、例えばスキー靴１を脱ぐ際、図１に示されたシェル２上のバックル１７を緩め、図５の開口部内１３と開口部外１４を押し広げた後、足の甲の力で甲部１２を上方への押し上げによって、角カン乙７の対辺部１１と角カン甲６の対辺部１０の当接している位置関係が変わり、締め具４の施錠状態は瞬時に解かれる。【００２１】  以上のように、本発明による締め具４は掴み端８を引くだけの簡単な動作でインナーブーツ３を第一段階で軽度に施錠し、第２段階のバックル１７と相まってスキー靴１との密着を強固にする重度の施錠の第１の効果を生む。
更に締め具４の部材壱５は踵を確実に固定する第２の効果を生む。これら角カンと部材による動きによって、解錠工程はスキー靴１の着脱を簡便にする第３の効果を生み、これらの効果によってくるぶし、踵周りがスキー靴に密着、固定されスキー操作に有効な効果を生む。
【実施例２】
【００２２】  図８、図９の実施例２は実施例１における部材壱５および部材弐９をインナーブーツ２例１８を構成する肉部１９に置き換え、角カン甲２例２０、角カン乙２例２１、その他を有する構成とし、掴み端部２例２２を構成している。これら角カンの動作は実施例１に類似である。部材壱５、部材弐９のような部材をなくし、材料の節約、扱い性を簡便化し、インナーブーツ自身に実施例１の締め具機能をもたせた構成である。
【産業上の利用可能性】
【００２３】  本発明ではスキー靴という特有の開口部内、開口部外の重ね合わせをもつシェルにおける施錠であるが、角カンの径、形状を変えることによって施錠の力を変えることができる。更には角カンにこだわらず、丸カンでも利用可能である。スキー靴以外の一般的な靴の締め具、搬送品の一時締め具、迅速な締め動作な必要な装置等、要求される品物の締め具に利用できる。
【符号の説明】  １    スキー靴
２    シェル
３    インナーブーツ
４    締め具
５    部材壱
６    角カン甲
７    角カン乙
８    掴み端部
９    部材弐
１０    対辺部
１１    対辺部
１２    甲部
１３    開口部内
１４    開口部外
１５    帯部
１６    踵上部
１７    バックル
１８    インナーブーツ２例
１９    肉部
２０    角カン甲２例
２１    角カン乙２例
２２    掴み端部２例
２３    足入れ口部
Ｃ    矢印
Ｄ    矢印
Ｅ    矢印
Ｆ    矢印
Ｇ    距離
Ｈ    矢印
Ｋ    矢印
Ｌ    矢印
Ｑ    矢印
Ｒ    矢印
【図１】
2014108339.tif 000003
【図２】
2014108339.tif 000004
【図３】
2014108339.tif 000005
【図４】
2014108339.tif 000006
【図５】
2014108339.tif 000007
【図６】
2014108339.tif 000008
【図７】
2014108339.tif 000009
【図８】
2014108339.tif 000010
【図９】
2014108339.tif 000011